(57)【要約】【課題】  カード全体が透明基材から構成されていて透明感を有するとともに、透過濃度規制域で所定の濃度を有し、発電用ソーラーパネルをカード基体内に設置してカード表面のデザインの自由性を確保したＩＣカードを提供する。【解決手段】  本発明のソーラーパネル付きＩＣカード１は、札入れサイズのカードが透明な基材の積層された構成からなり、ＪＩＳＸ６３０１で規定する領域において、光透過濃度を満たすように赤外線吸収剤入りインキが基材に塗工されている透明カードにおいて、当該カードの透明基体内に発電用ソーラーパネル２を備えることを特徴とする。  ＩＣカードは、カード表面に表示装置６を備えていてもよく、ＩＣカードが接触型、非接触型、または接触・非接触両用型のいずれであってもよい。また、カード基体１０内にペーパーバッテリー４をさらに備えるものであってもよい。【選択図】    図１
2005321912.tif 000002
【特許請求の範囲】
【請求項１】
札入れサイズのカードが透明な基材の積層された構成からなり、ＪＩＳＸ６３０１で規定する領域において、所定の光透過濃度を満たすように赤外線吸収剤入りインキが基材に塗工されている透明カードにおいて、当該カードの透明基体内に発電用ソーラーパネルを備えることを特徴とするソーラーパネル付きＩＣカード。
【請求項２】
札入れサイズのカードが透明な基材の積層された構成からなり、ＪＩＳＸ６３０１で規定する領域において、所定の光透過濃度を満たすように赤外線吸収剤入りインキが基材に塗工されている透明カードにおいて、当該カードの透明基体内に発電用ソーラーパネルを有し、かつカード表面に表示装置を備えることを特徴とするソーラーパネル付きＩＣカード。
【請求項３】
１の赤外線吸収剤入りインキがソーラーパネルの非受光面側のオーバーシート面に塗工され、他の１の赤外線吸収剤入りインキがコアシート面に塗工されていることを特徴とする請求項１または請求項２記載のソーラーパネル付きＩＣカード。
【請求項４】
１の赤外線吸収剤入りインキと他の１の赤外線吸収剤入りインキの混合インキがコアシート面に塗工されていることを特徴とする請求項１または請求項２記載のソーラーパネル付きＩＣカード。
【請求項５】
１の赤外線吸収剤入りインキがソーラーパネルの受光面側のオーバーシート面に塗工され、他の１の赤外線吸収剤入りインキがコアシート面に塗工されていることを特徴とする請求項１または請求項２記載のソーラーパネル付きＩＣカード。
【請求項６】
ＩＣカードが接触型ＩＣカードであることを特徴とする請求項１または請求項２記載のソーラーパネル付きＩＣカード。
【請求項７】
ＩＣカードが非接触型ＩＣカードであることを特徴とする請求項１または請求項２記載のソーラーパネル付きＩＣカード。
【請求項８】
ＩＣカードが接触・非接触両用型ＩＣカードであることを特徴とする請求項１または請求項２記載のソーラーパネル付きＩＣカード。
【請求項９】
ペーパーバッテリーをさらに備えることを特徴とする請求項１または請求項２記載のソーラーパネル付きＩＣカード。
【請求項１０】
ソーラーパネルをアンテナシートに設けたことを特徴とする請求項１または請求項２記載のソーラーパネル付きＩＣカード。
【請求項１１】
ソーラーパネルとペーパーバッテリーをアンテナシートに設けたことを特徴とする請求項９記載のソーラーパネル付きＩＣカード。
【発明の詳細な説明】
【技術分野】
【０００１】
本発明は、ソーラーパネル付きＩＣカードに関するが、特には、当該カード基体が透明基材で構成され、当該透明基体内に発電用ソーラーパネルを備え、かつ、ＪＩＳＸ６３０１が規定する領域において、所定の光透過濃度を満たすように赤外線吸収剤が含まれたインキが塗工されているソーラーパネル付きＩＣカードに関する。
このような、ソーラーパネル付きＩＣカードは各種クレジットカードやキャッシュカードに用いられるが、非接触ＩＣカードや表示装置付きカード等の電力消費量の大きいカードに特に好適に用いられる。
【背景技術】
【０００２】
従来、キャッシュカードやクレジットカードなどのＩＳＯ準拠のカードに付けるソーラーパネルは、カードの最表面に配置する形態がほとんどである。これは、ＡＴＭ（現金自動預け払い機）適性等の問題から、透明性を有する材料を使うことができず、カード基体内に設置することが困難であったことによる。
すなわち、透明度が高過ぎる場合は、ＡＴＭのカード検知センサが誤認するため、カードには一定の光透過濃度が必要であり、一定の濃度をもつことが要求されていた。
一方、その要求を満たすカードは不透明であって、ソーラーパネルをカード基体内に設置することを難しくする要因となっていた。ソーラーパネルをカード基体内に設置できれば、カードデザイン上の制限を少なくし、情報表示面積を広くできる利点が生じる。
また、非接触ＩＣカードの場合は、ソーラーパネル等の主要な配線処理等をアンテナシートの段階で行うことができ製造も容易になる。
【０００３】
磁気記録部を有するクレジットカード、キャッシュカード、ポイントカード、社員証等のカードは、磁気記録データの読み取りのためにカード読み取り装置内で駆動される。
例えば、ＡＴＭにカードを挿入すると、センサがカードの先端が挿入されたことを検知し、ＡＴＭは磁気記録部の読み取りを開始する。
このため、ＩＳＯ／ＩＥＣ７８１０に準拠するＪＩＳＸ６３０１の８．１．１０には、カードの光透過性が規定され「すべての機械読取りカードは、規定された領域で、１．５以上の光透過濃度をもたなければならない。」ことを規定している。
ＩＣカードにおいても、磁気記録部を併用するものも多く、カード検知は同様に行われるので当該規格を満たすことが必要となる。
【０００４】
ＪＩＳＸ６３０５に規定される当該領域は、ＩＤ−１型サイズカード（幅８５．６ｍｍ、高さ５３．９８ｍｍ、厚み０．７６ｍｍ）において、カード上部端縁から２１．０ｍｍの領域と、カード下部端縁から１０．０ｍｍの領域とされている。
また、この光透過濃度測定用の試験装置としては、波長が９００ｎｍまでの感度をもつ光透過濃度計が指定されている。
【０００５】
したがって、このカードを検知するためには、多くの場合、透過型赤外線センサーが用いられる。透過型赤外線センサーは、ＡＴＭのカード走行経路に沿って、例えば、カードのおもて面側に赤外線の投光部が、裏面側に受光部が取り付けられる。カードが前記投光部と受光部の間を通過すると、受光部は投光部から照射されている赤外線がカードによって遮られるので、カードが通過したことを検知する。
ただし、外部読み取り装置によっては、上記光透過度規制領域以外の位置で赤外線センサーを使用してカードを検知している場合がある。この場合には、カードの全面が赤外線吸収特性を有する必要がある。
【０００６】
カードが検知されるためには、カード基体は赤外線を遮断するものでなければならず、通常のカードの場合は、基材に不透明な白色顔料が練り込まれているので、赤外線を遮断する。一方、透明カードは、スケルトンカードとも言われ、おしゃれな感覚を有することから従来から愛好者が多いが、顔料等の練り込みはできない。したがって、視覚的には十分な透明感を有し、かつ、近赤外光を遮断してＡＴＭ等の光透過濃度の規定を満たす透明カードが求められる。
【０００７】
このようなニーズを満たすために、従来から赤外線吸収剤をカード基体樹脂に混練して使用するか、印刷インキ化してカード基体に塗工することが行われている。
例えば、特許文献１は、「透明カード」に関するが、フタロシアニン系化合物、アントラキノン系化合物、ポリメチン系化合物、シアニン系化合物、アミニウム系化合物、ジイモニウム系化合物等の光吸収材料をカード基材に、単独または混合使用して、波長５５０ｎｍ以上、１０００ｎｍ以下の光を吸収する透明カードを提案している。
しかし、カード基材に赤外線吸収剤を練り込みする場合は、あらかじめ大量の基材を製造しておくことが必要であって、小ロットの対応が困難である。
【０００８】
特許文献２は、「透明磁気カード」に関するが、８００ｎｍ〜１０００ｎｍの赤外領域を吸収する染料を含有するインキ層をカード基材に印刷することを提案している。しかし、赤外線吸収材料の具体的内容は明らかにされていない。
特許文献３は、本願出願人による先願であるが、波長８００ｎｍ〜１０５０ｎｍに最大吸収域を有する赤外線吸収剤を使用した印刷インキを用いた透明カードであって、当該印刷インキには２種の赤外線吸収剤を混合して使用することを提案している。
【０００９】
【特許文献１】特開２００１−３０１３６９号公報
【特許文献２】特開２００１−３１９３２５号公報
【特許文献３】特願２００３−３２７６４６号
【００１０】
一方、カード内に電源を備えることの必要性は潜在的にある。例えば、接触ＩＣカードでは外部端子から電源の供給を受け、非接触ＩＣカードではアンテナを介して電力を受けることによってその必要を満たしている。しかし、最近ではＩＣカードが記録している内容を表示するニーズも大きくなってきている。そのため、例えば、リライト記録材料を用い、ＩＣチップ内に格納した情報などを表示してきたが、カード券面の表示エリアが小さいという問題がある。複数のカードアプリケーションが搭載されるＩＣカード等においては、各アプリケーションの情報をカード券面上に表示して欲しいという要求があり、液晶表示パネル等の外部電源を用いる表示切り替え技術が潜在的に求められている。
しかし、電池電源（一次電池）を内部に持たせることは、コストアップになる問題や電池自体の寿命がカードの寿命となることの懸念から現実的な選択肢としては採用されていなかった。
【００１１】
カードにソーラーパネル（太陽電池）を持たせることについても各種の先行技術が存在する。特許文献４は、ＩＣカードに太陽電池を用いることを記載しているが、太陽電池はカード表面に配置するようにされている。特許文献５も表示型ＩＣカードに太陽電池を積層して設けることを記載しているが、当該ＩＣカードの基材が透明基材であって、ＡＴＭ適性を満たすことについては記載していない。
【００１２】
【特許文献４】特開平６−９６３０１号公報
【特許文献５】特開２００１−３３８２７３号公報
【発明の開示】
【発明が解決しようとする課題】
【００１３】
そこで、本発明は、赤外線吸収効果の高い吸収剤を選んで印刷インキ化することによって、透明カード基材を近赤外領域において不透明化し、かつカードの透明基体内にソーラーパネルを組み込みすることを研究して、本発明の完成に至ったものである。
【課題を解決するための手段】
【００１４】
上記課題を解決するための本発明の要旨の第１は、札入れサイズのカードが透明な基材の積層された構成からなり、ＪＩＳＸ６３０１で規定する領域において、所定の光透過濃度を満たすように赤外線吸収剤入りインキが基材に塗工されている透明カードにおいて、当該カードの透明基体内に発電用ソーラーパネルを備えることを特徴とするソーラーパネル付きＩＣカード、にある。
【００１５】
上記課題を解決するための本発明の要旨の第２は、札入れサイズのカードが透明な基材の積層された構成からなり、ＪＩＳＸ６３０１で規定する領域において、所定の光透過濃度を満たすように赤外線吸収剤入りインキが基材に塗工されている透明カードにおいて、当該カードの透明基体内に発電用ソーラーパネルを有し、かつカード表面に表示装置を備えることを特徴とするソーラーパネル付きＩＣカード、にある。
【発明の効果】
【００１６】
本発明のソーラーパネル付きＩＣカードは、透明カード基体内にソーラーパネルを積層して設けているので、自家発電により電力を供給できるとともに、カード表面に表示装置を設けた場合にソーラーパネルが内部にあるので表示面積を大きくできる。
カードが透明であるため、いわゆるスケルトンと言われるおしゃれな視覚効果がある。  カード基材が透明であるため、ＩＣカードのソーラーパネルやその他の内部構成物が立体的に透視して観察できるので利用者の関心を呼び起こすことができる。
さらに、カードの所定領域において、国際または国内規格を満たす透過濃度を有し、検知センサが識別可能であるという効果を有する。
透明カード基体内にソーラーパネルを積層して設けているので、カード表面のデザイン上の制限を少なくできる。
透明カード基体内にソーラーパネルを設置できるので、非接触ＩＣカードの場合は、アンテナシートの準備段階で主要な配線処理をすることができる。
【発明を実施するための最良の形態】
【００１７】
以下、図面等を参照して、本発明の実施形態について、さらに詳しく説明する。
図１は、本発明によるソーラーパネル付きＩＣカードの例を示す平面図、図２は、図１のＡ−Ａ線断面矢視図、図３は、同ソーラーパネル付きＩＣカードの他の例を示す平面図、図４は、図３のＡ−Ａ線断面矢視図、図５は、ソーラーパネル付きＩＣカードの電気回路を示すブロック図、図６は、赤外線吸収剤入りインキを塗工したカード基体の分光透過率曲線を示すグラフ、である。
【００１８】
ソーラーパネル付きＩＣカード１は、ＩＤ−１型カード規格に準拠した形状（８５．６ｍｍ×５３．９８ｍｍ）であって、全体がほぼ一定の厚みに形成されている。
図１の場合は、接触・非接触両用型ＩＣカードであって、ソーラーパネル２とペーパーバッテリー４をカード基体１０内に有し、ＩＣモジュールの接触端子板８と表示装置６をカード表面に有している。図示してないが、表示装置６は、表示用ＩＣチップやドライバを備えるものである。表示装置６には、液晶やエレクトロルミネッセンス（ＥＬ）表示装置等が採用され、マトリックスやセグメントにより文字等の表示がなされる。
【００１９】
カードは基本的に視覚的に透明感あるものとするので透明基材を使用するが、前記した規定領域（図１において、Ａ１，Ａ２の幅のカード端縁領域）は、赤外線に対して不透明にしなければならないので、カード基材に赤外線吸収剤入りインキを塗工する。当該インキは所定の透過濃度規制域に塗工すれば良いが、工程やデザインの都合上、全面塗工する場合も多い。
赤外線吸収剤入りインキを塗工する基材は、コアシートまたはオーバーシート、あるいはその双方であるが、表面になるオーバーシートよりもカード基体１０の内面となるコアシートに塗工するのが赤外線吸収剤入りインキ層の耐久性の点では好ましい。
【００２０】
ソーラーパネル２は、カード基体のデザイン等がない透明部分に設けるが、赤外線吸収剤入りインキの塗工部であっても非塗工部であっても構わない。透明カードに使用する赤外線吸収剤は可視光域の吸収が殆どないものが用いられからである。
ペーパーバッテリー４の設置位置は、カード表面に設けた表示装置６やデザイン部分の背面等であってもよい。ペーパーバッテリー４は必須ではないが、備えている場合は、ＩＣカードの非使用時にも充電できるので弱光下や太陽光の得られない夜間の利用時に電力供給できる利点が生じる。
表示装置６以外の領域は、カードの一般的な印刷情報表示部やカードの利用者を特定するエンボス領域であってよい。
【００２１】
なお、図１の実施形態で表示装置６を備えない場合でも、ソーラーパネル２からの電力をＩＣチップ２の送信部に供給すれば外部装置による微弱な電力による場合よりも非接触交信範囲を広くできる。
従来は、非接触通信の場合は外部供給電力を非接触ＩＣチップに接続されたアンテナコイルで受信し電力に変換しているが、電力の供給を外部装置から受ける場合は通信距離に制約を生じる問題があった。これを内部から電力を供給できるようにすることで改善を図ることができる。接触型ＩＣカードの場合であっても、ソーラーパネル２を備えれば、端末と非接続時においても、表示装置を表示させることができる。
【００２２】
図２は、図１のＡ−Ａ線分解断面図であるが、厚み方向は拡大図示されている。
カード基体１０は、多くの場合、２層のコアシート１０１，１０２とその両面の透明オーバーシート１０３，１０４の構成からなっている。透明カードの場合、２層のコアシート１０１，１０２も透明なものとする。接触・非接触両用型ＩＣカードの場合、コアシート１０１はアンテナシート（あるいはインレイシート）とも言われ、そのいずれかの面には、アンテナコイル１１が予め形成されている。
【００２３】
図２の場合、アンテナシート１０１を打ち抜きし、ソーラーパネル２とペーパーバッテリー４を嵌め込みする空間を形成している。通常、アンテナコイル１１はカード基体の周囲に方形環状に形成するので、その環の内側のスペースを利用して収納部分とするものである。もっとも、ソーラーパネル２とペーパーバッテリー４を嵌め込みする別のスペーサシート、あるいはコアシート１０２側の基材、を利用してもよいが、アンテナコイル１１と同一のアンテナシート１０１に収納部を設けるのが、熱圧プレス前のアンテナシート１０１の準備段階で必要な配線処理等を済ませることができ製造が容易となる。
ＩＣモジュール装着用凹部２０は、カード基体１０をプレスにより一体にした後、カード表面からエンドミル等によりザグリ形成する。
【００２４】
図３の場合は、非接触型ＩＣカードであって、カード表面にＩＣモジュールの接触端子板を持たないが、表示装置６を備え、非接触型ＩＣチップ３とソーラーパネル２、ペーパーバッテリー４、アンテナコイル１１、をカード基体１０内に有している。
ソーラーパネル２をカード基体１０の透明部分に設けるが、ペーパーバッテリー４は、カード表面に設けた表示装置６やデザイン部の背面等に設けてもよいのは前記のとおりである。
【００２５】
図４は、図３のＡ−Ａ線に沿う断面であるが厚み方向は同様に拡大図示されている。
カード基体１０の構成は、図２の場合と実質的に同一であって、コアシート（アンテナシート）１０１とコアシート１０２、オーバーシート１０３，１０４が積層されて構成されている。アンテナシート１０１を打ち抜きし、ソーラーパネル２とペーパーバッテリー４を嵌め込みする空間を形成しているのは、図２の場合と同様である。
コアシート１０２には、非接触ＩＣチップ３の厚みを吸収する開口３０ｈが形成されることが多い。
【００２６】
図５は、ソーラーパネル付きＩＣカードの回路ブロック図であるが、接触・非接触両用型ＩＣチップ３を備えるＩＣカードの場合を意味している。
カード表面には、接触端子Ｃ１（ＶＣＣ）、Ｃ２（ＲＳＴ）、Ｃ３（ＣＬＫ）、Ｃ４（バッテリ充電端子）、Ｃ５（ＧＮＤ）、Ｃ６（Ｖｐｐ；未使用）、Ｃ７（Ｉ／Ｏ）、Ｃ８（将来のための予備端子；ＲＦＵ）からなる接触端子板８を有している。
【００２７】
ＩＣチップ３は、ＣＰＵ、ＲＯＭ、ＲＡＭ、ＥＥＰＲＯＭからなるデータ処理装置を有しており、接触式のデータ交換に際しては、ＩＣカードを挿入した端末装置から、接触端子Ｃ１からＶＣＣ（通常５Ｖ）端子へ電圧が供給されるとともに、接触端子Ｃ３、Ｃ２、Ｃ５を通してＣＬＫ（クロック）端子、ＲＳＴ（リセット）端子、ＧＮＤ（接地電位）端子に信号が入力され、同時に接触端子Ｃ７とＩ／Ｏポートが接続されてデータ交信が行われる。
【００２８】
ＩＣチップ３は、さらに非接触インターフェース部３０ｉを有していて、アンテナコイル１１がその受発信アンテナの役割を行う。アンテナコイル１１が受信した信号は、ＩＣチップ３のアンテナコイル接続用端子板３１，３２からＩＣチップ３に取り込まれ、復調されてデータ変換される。送信する場合は、逆にデータ変換、変調して送信する。
アンテナコイル接続用端子板３１，３２とは、カード基体内のアンテナコイル１１の端部とＩＣモジュールを接続するための端子のことである。
【００２９】
ペーパーバッテリー４は、ＩＳＯ規格を満たす二次電池である。ソーラーパネル２からの電力を充電回路７を介して充電する他、接触交信時に端末装置から所定電圧以上の電圧が検知された場合にもペーパーバッテリー４に充電するようにされている。
ペーパーバッテリー４の電力は、Ｃ４端子を介してＩＣチップ３に供給される。ＩＣカードは、電圧検知セレクタ９を有していて、所定電圧以上の電圧を検知するとＶｃｃ端子を接触端子Ｃ１に接続して、接触端子Ｃ１を通してＶｃｃをＩＣチップに供給する。
電圧が検知できなかったり、検知電圧が所定電圧に満たない場合はＶｃｃ端子をペーパーバッテリー４側に接続して、ペーパーバッテリー４からＶｃｃをＩＣチップに供給するようにしている。
なお、ペーパーバッテリー４の電力は図示しない表示装置６に対しても供給される。
【００３０】
次に、ソーラーパネル付きＩＣカードの製造方法について説明する。このようなＩＣカードは各種の製造方法を採用できるが、一例として２層のコアシートを使用した接触・非接触両用型ＩＣカードを製造する場合の例を説明する。
まず、透明コアシート１０２、またはオーバーシート１０３，１０４に赤外線吸収剤入りインキの塗工をシルクスクリーン印刷により行う（図２参照）。赤外線吸収剤入りインキの塗工は透明オーバーシートのみに対してするものでも構わないが、耐久性の問題からはコアシート１０２に塗工することが好ましい。コアシート１０１は、アンテナコイル１１等を形成するので塗工は困難である。
赤外線吸収剤入りインキには、２種の赤外線吸収剤を混合したものの塗工、例えば、インキＡとインキＢの混合物の塗工ができるが、インキＡとインキＢを単独で異なる基材に塗工するものであってもよい。
【００３１】
したがって、インキＡをソーラーパネルの非受光面側のオーバーシート１０４面に塗工し、インキＢをコアシート１０２面に塗工してもよく、この場合はソーラーパネル２は赤外線吸収剤入りインキの影響を受けないことになる。
また、インキＡとインキＢの混合インキをコアシート１０２面に塗工してもよく、この場合もソーラーパネル２は赤外線吸収剤入りインキの影響を受けないことになる。
また、インキＡまたはインキＢをソーラーパネル２の受光面側のオーバーシート１０３面に塗工し、他のインキをコアシート面に塗工してもよい。この場合は、１の赤外線吸収剤の影響を受けるが、影響を小さくすることができる。
【００３２】
次に、アンテナシートの準備を行う。これには、透明コアシート１０１としてアルミ箔や銅箔がラミネートされた透明基材を用い、当該金属箔表面に印刷レジストやフォトレジストによりアンテナパターンや配線パターンを形成した後、フォトエッチング手段によりアンテナコイル１１とソーラーパネル２やバッテリー４の接続に必要な配線パターンがコアシート１０１面に残るようにする。また、アンテナコイルの両接続端部が、コアシート１０１のＩＣモジュール装着用凹部２０に臨むように形成する。フォトエッチング以外の手段としては、導電性インキによる印刷や樹脂被覆銅線をカード基材面に被覆樹脂を溶かしながら溶着させる方法等もよく知られている。
透明コアシート１０１にソーラーパネル２とペーパーバッテリー４を収納する部分を打ち抜きする。打ち抜きした空所に、ソーラーパネル２とペーパーバッテリー４を嵌め込みし、必要な接続配線を行う。
【００３３】
コアシート１０１，１０２とオーバーシート１０３，１０４の積層体を熱圧プレスして一体のカード基体１０にする。この際、カード基体材料が自己融着性の場合は、熱圧プレスにより接着するが、自己融着性ではない材料、例えばポリエチレンテレフタレート（ＰＥＴ）等の場合は接着剤を併用して接着させる。
ソーラーパネル２やペーパーバッテリー４の嵌め込みにより、カード表面に凹凸が生じないように、適宜な透明接着剤や充填剤等を併用することが好ましい。赤外線吸収剤入りインキの熱融着性についても考慮する必要がある。
ＩＣモジュール装着用凹部２０をザグリ形成してからＩＣモジュール５を装着する。その際、アンテナコイル１１の両端部は、ＩＣモジュール５のアンテナコイル接続用端子板（不図示）３１，３２を介してＩＣチップ３の非接触インターフェース部に接続するようにされる。ＩＣモジュール５を装着した後、フィルム状表示装置６を実装する。必要な配線処理は異方導電性接着テープ等により行う。これにより、ソーラーパネル付きＩＣカード１が完成する。
【００３４】
［材質に関する実施形態］
（カード基材について）
透明コアシートや透明オーバーシートの材料としては、ポリ塩化ビニルやＰＥＴシート、ＰＥＴ−Ｇ（ポリエチレンテレフタレートにおけるエチレングリコール成分の一部をシクロヘキサンジメタノールで置換した共重合ポリエステル樹脂）、アクリルニトリル−ブタジエン−スチレン共重合樹脂（ＡＢＳ）、ポリプロピレン、トリアセテートなどの透明性の高い樹脂が使用可能である。
透明コアシートの厚みは、０．２０〜０．３０ｍｍ程度となる。ただし、コアシート１０１には、ソーラーパネル２やペーパーバッテリー４を嵌め込みするので、それらの厚みに相当するものを使用する。ソーラーパネル付きＩＣカード１の全体厚みをＩＳＯが規定する０．７６〜０．８０ｍｍ程度とするためには、用いるオーバーシートの厚みによっても調整する。
【００３５】
（赤外線吸収剤入りインキについて）
赤外線吸収剤には前記のように、フタロシアニン系化合物、アントラキノン系化合物、ポリメチン系化合物、シアニン系化合物、アミニウム系化合物、ジイモニウム系化合物等が知られている。赤外線吸収剤入りインキは、これらの中から可視部の透過率が高く、近赤外部での吸収効果の高いものを用いるのが当然に好ましいが、以下のものを用いることができる。
【００３６】
ここで、前記インキＡとインキＢの具体的内容について、図６を参照して説明する。
図６は、インキＡとインキＢの分光透過率曲線Ａ，Ｂと、混合インキＭの分光透過率曲線Ｍを示している。いずれも、後述の実施例と同一の条件で、シルクスクリーン印刷用インキにインキ化し、コアシートに印刷後、コアシート、オーバーシートーを熱圧プレスして一体化し、透明カード化した後の状態での測定である。測定は、分光光度計によるものである。なお、透明カード基体自体による吸収はないものと考えてよい。
【００３７】
インキＡは、山本化成株式会社製の赤外線吸収剤「ＹＫＲ−５０１０」（フタロシアニン系化合物）をビニル系樹脂と溶剤中に、３．０％（質量比）添加してシルクスクリーン印刷用インキにインキ化したものである。図６中、インキＡの最大吸収波長域は、８００ｎｍ〜９００ｎｍの範囲に認められる。
インキＢは、山本化成株式会社製の赤外線吸収剤「ＹＫＲ−３０８０」（フタロシアニン系化合物）をビニル系樹脂と溶剤中に、１０．０％（質量比）添加してシルクスクリーン印刷用インキにインキ化したものである。インキＢの最大吸収波長域は、１０００ｎｍ〜１０５０ｎｍの範囲に認められる。
混合インキＭの最大吸収波長域は、８００ｎｍ〜９００ｎｍの範囲に認められる。
【００３８】
インキＡ、インキＢ、混合インキＭともに５００〜６５０ｎｍの可視光線波長域では、かなり高い透過率を示していることが認められる。また、いずれのインキも８００ｎｍ〜１０００ｎｍの近赤外域では透過率が低下していることが認められる。
このような赤外線吸収剤入りインキは、インキＡとインキＢを、それぞれ別の基材面に印刷してもよく、混合使用した場合でもほぼ同等の効果が得られることが確認されている。もちろん、２種の赤外線吸収剤を混合してインキ化しても同じ結果が得られる。
【００３９】
赤外線吸収剤をシルクスクリーン印刷用インキにインキ化するためのバインダ（樹脂）としては、塩化ビニル・酢酸ビニル共重合体、塩化ビニル・酢酸ビニル・ビニルアルコール共重合体や塩化ビニル・酢酸ビニル・マレイン酸共重合体、繊維素系樹脂、アクリル系樹脂、塩化ビニル・アクリレート共重合体、ビスフェノールＡ型エポキシ樹脂、等各種の樹脂が使用できる。カード基体を自己融着により一体にする場合は、赤外線吸収剤入りインキはその熱融着性についても考慮する必要がある。
【００４０】
（ソーラーパネルについて）
ソーラーパネル２は、市販のもので、１．５ｖ〜５ｖ、３μＡ程度の起電力が得られ、カードや電卓に使用するＬＳＩの駆動電圧−電流に適合した電力が得られる。このソーラーパネル２は、主として表示装置６の電極に電圧を供給するものであるが、前記のようにＩＣチップ３の駆動にも利用できる。表示装置６が液晶表示装置である場合は、反射光を利用するものが好ましく用いられ、このものは背面から照明するものではないから過大な供給電力を必要としない。
ソーラーパネル付きＩＣカードは通常は、屋外や明るく照明された店内等で使用されるので、その照明光により十分な起電力を生じ得る。市販品として、三洋電機株式会社製「アモルトンＡＬ−１４０６」（３７．０×１７．０×０．２ｍｍ厚）等がある。
【００４１】
（ペーパーバッテリーについて）
ペーパーバッテリー４は、ＩＳＯ規格を満たすことができる二次電池であり、現在実用化されているものでは、例えば、正極活物質としてアモルファスＶ2 Ｏ5 ゲル薄膜、電解質として高イオン導電性のポリホスファゼンを使用した厚み０．１ｍｍの超薄型の２次電池、厚み０．２ｍｍで可撓性のある超薄型リチウム２次電池等が使用可能である。
【００４２】
（表示装置について）
一般的には液晶表示装置が用いられるが、薄型にできるものであればよく、エレクトロルミネッセンス（ＥＬ）表示装置、マイクロカプセルを利用した電子ペーパ等も用いられる。カード厚を薄くすることと積層の容易のためフィルム状反射型液晶パネルを好ましく使用できる。大日本インキ化学工業株式会社製のポリマーネットワーク型高反射率液晶原料組成物を使用した液晶表示装置であってもよい。
【実施例】
【００４３】
（赤外線吸収剤入り印刷インキインキＡの準備）
赤外線吸収剤Ａとして、山本化成株式会社製のフタロシアニン系化合物「ＹＫＲ−５０１０」を使用し、塩酢ビ系メジュームに、シクロヘキサノンと芳香族炭化水素からなる溶剤とともに混合して撹拌し、シルクスクリーン印刷用インキにインキ化した。
スクリーンインキの状態で、赤外線吸収剤Ａの割合は３．０質量％とした。
【００４４】
（赤外線吸収剤入り印刷インキインキＢの準備）
赤外線吸収剤Ｂとして、山本化成株式会社製のフタロシアニン系化合物「ＹＫＲ−５０１０」を使用し、塩酢ビ系メジュームに、シクロヘキサノンと芳香族炭化水素からなる溶剤とともに混合して撹拌し、シルクスクリーン印刷用インキにインキ化した。
スクリーンインキの状態で、赤外線吸収剤Ｂの割合は１０．０質量％とした。
【００４５】
（基材の準備）
コアシート１０１として、３０μｍの銅箔をラミネートした厚み０．２２ｍｍの透明硬質塩化ビニルシートを使用し、コアシート１０２として、厚み０．２２ｍｍの透明硬質塩化ビニルシートを使用した。オーバーシート１０３，１０４として、厚み０．１８ｍｍの透明塩化ビニルシート２枚を使用した。なお、オーバーシート１０３には磁気テープを仮貼り転写済みのものである。
【００４６】
（コアシートへの赤外線吸収剤入り印刷インキの印刷）
コアシート１０２のオーバーシート１０４と接する側の面に、先に準備した赤外線吸収剤入り印刷インキのインキＡとインキＢを１：１で混合し、シルクスクリーン印刷により印刷した。乾燥後の赤外遮蔽インキ層の厚みは、１５μｍであった。
【００４７】
（アンテナシートの準備）
コアシート１０１に対してアンテナコイル１１とソーラーパネル２とペーパーバッテリー４に対して必要な配線をフォトエッチングにより形成した。アンテナコイル１１の両接続端部はＩＣモジュール５を装着する位置に臨むようにした。
アンテナコイル１１が形成する矩形状の環の中に、ソーラーパネル２とペーパーバッテリー４を納める空所を打ち抜きにより形成し、当該空所内に、厚み２００μｍのソーラーパネル２と厚み２００μｍのペーパーバッテリー４を納め、必要な電気配線を行った。
【００４８】
（カード化、ＩＣモジュール装着）
オーバーシート１０３，１０４を、コアシート１０１，１０２に対して位置合わせしてから、全体をクロムメッキ鋼板からなる鏡面板間に挟んで熱圧プレスして、多面付けの一体のカード基体にした。
個々のカードサイズに打ち抜きした後、ＩＣカード表面からＩＣモジュール装着用凹部２０をエンドミルによりザグリ切削した。ＩＣモジュール５のプリント基板部分を懸架する第１凹部とその中央部に樹脂モールド部を納める第２凹部を掘削し、第１凹部面からアンテナコイル１１の両接続端部へ達する導通用凹部を掘削し、当該導通用凹部内に導電性接着剤を充填して、ＩＣモジュール５のアンテナコイル接続用端子板３１，３２が接続するようにして、接触・非接触両用型ＩＣモジュール５を装着した。
【００４９】
ＩＣカード表面に、反射型液晶表示パネルを装着して、ソーラーパネル付きＩＣカード１を完成した。このソーラーパネル付きＩＣカード１は、透明なＩＣカード基材中にソーラーパネル等が実装されているので、カードの内部構成が視覚で確認できて楽しい使用方法ができるものであった。また、表示装置６の面積を大きくでき、カード表面のデザインを自由に行うこともできる利点がある。
【産業上の利用可能性】
【００５０】
本発明の実施例では、２層のコアシートと２層のオーバーシートの構成によるカードを例示しているが、適宜な透明スペーサシート基材を層間に併用することができ、当該基材に赤外線吸収剤入りインキを塗工してもよいものである。したがって、カードの基材構成は実施例のものに限定されるものではない。
本発明では、赤外線吸収剤入りインキを基材に塗工することにより近赤外域における所定の透過濃度が得られるようにしているが、同様の赤外線吸収剤を基材に練り込みしても同様の効果が得られることは、本発明から当業者が容易に想到できる程度のことに過ぎない。
【図面の簡単な説明】
【００５１】
【図１】本発明によるソーラーパネル付きＩＣカードの例を示す平面図である。
【図２】図１のＡ−Ａ線断面矢視図である。
【図３】同ソーラーパネル付きＩＣカードの他の例を示す平面図である。
【図４】図２のＡ−Ａ線断面矢視図である。
【図５】ソーラーパネル付きＩＣカードの電気回路を示すブロック図である。
【図６】赤外線吸収剤入りインキを塗工したカード基体の分光透過率曲線を示すグラフである。
【符号の説明】
【００５２】
１    ソーラーパネル付きＩＣカード
２    ソーラーパネル
３    ＩＣチップ
４    ペーパーバッテリー
５    ＩＣモジュール
６    表示装置
７    充電回路
８    接触端子板
１０    カード基体
１１    アンテナコイル
２０    ＩＣモジュール装着用凹部
３０ｉ  非接触インターフェース部
３１，３２    アンテナコイル接続用端子板
１０１    コアシート、アンテナシート
１０２    コアシート
１０３，１０４    オーバーシート
【図１】
2005321912.tif 000003
【図２】
2005321912.tif 000004
【図３】
2005321912.tif 000005
【図４】
2005321912.tif 000006
【図５】
2005321912.tif 000007
【図６】
2005321912.tif 000008